(57)【特許請求の範囲】
【請求項１】
ズームレンズと、前記ズームレンズの像側に配置され、前記ズームレンズによる像を電気信号に変換する撮像面をもつ撮像素子を有する撮像装置において、
前記ズームレンズは、
物体側から像側に順に、正の屈折力の第１レンズ群と、負の屈折力の第２レンズ群と、複数のレンズ群を持ち全体で正の屈折力を持つリアレンズ群グループからなり、
広角端から望遠端へのズーミングに際して前記各レンズ群の間隔が変化し、
前記第１レンズ群中のレンズの総数は３以下であり、
前記リアレンズ群グループ中の何れかのレンズ群がフォーカシングのために移動するフォーカシングレンズ群であり、
前記フォーカシングレンズ群は、フォーカシングレンズ群の位置を違えた少なくとも３つのフォーカシング状態にて連続撮影可能に光軸方向に移動し、
前記少なくとも３つのフォーカシング状態にて得られた複数の撮影画像情報から、それぞれ異なる色成分に対応する画像情報を取得して、軸上色収差が補正された完成画像情報を生成する画像情報補正回路を備え、
以下の条件式を満足することを特徴とする撮像装置。
３．５＜ｆｔ（ｄ）／ｆｗ（ｄ）＜３５                        （１）
０．８＜ｆｔ（ｄ）／（ｆｗ（ｄ）・Fｔmin（ｄ）２）＜２．０  （２）
０．０５＜｜ΔＣ−ｇaxisｔ／ｆｔ（ｄ）｜×１０２＜３．０      （３）
０≦｜Δd saｔ／ΔＣ−ｇaxisｔ｜＜０．８                    （４Ａ）
０≦｜Δｇ saｔ／ΔＣ−ｇaxisｔ｜≦０．６２                 （４Ｂ’）
０≦｜ΔC saｔ／ΔＣ−ｇaxisｔ｜＜０．８                    （４Ｃ）
０．１＜｜Pimg／ΔＣ−ｇaxisｔ｜＜０．７５                    （５）
３≦｜Ntake｜≦１００                                      （６）
ただし、
ｆｔ（ｄ）は、前記ズームレンズの望遠端、ｄ線における無限遠合焦時のｄ線での焦点距離、
ｆｗ（ｄ）は、前記ズームレンズの広角端、ｄ線における無限遠合焦時のｄ線での焦点距離、
Fｔmin（ｄ）は、前記ズームレンズの望遠端、ｄ線における無限遠合焦時のｄ線での最小Ｆ値、
ΔＣ−ｇaxisｔは、前記ズームレンズの望遠端、ｄ線における無限遠合焦時のＣ線の焦点とｇ線の焦点との差、
Δd saｔは、前記ズームレンズの望遠端、ｄ線における無限遠合焦時、最小Ｆ値時のｄ線の軸上での球面収差の最大値と最小値の差、
Δg saｔは、前記ズームレンズの望遠端、ｄ線における無限遠合焦時、最小Ｆ値時のｇ線の軸上での球面収差の最大値と最小値の差、
ΔC saｔは、前記ズームレンズの望遠端、ｄ線における無限遠合焦時、最小Ｆ値時のＣ線の軸上での球面収差の最大値と最小値の差、
Pimgは、前記ズームレンズの望遠端、無限遠合焦時、最小Ｆ値時における前記フォーカシングレンズ群を駆動しての前記連続撮影される画像のうち前記完成画像情報に使用する画像を得る際の光軸方向の像面移動ピッチの平均値、
Ntakeは、前記連続撮影時の撮影回数、
である。
【請求項２】
以下の条件式を満足することを特徴とする請求項１に記載の撮像装置。
０≦｜ΔｄS-M0.7ｔ／ΔＣ−ｇaxisｔ｜＜０．５          （７）
０．３＜｜ΔｄAS0.7ｔ／ΔＣ−ｇaxisｔ｜＜３        （８）
ただし、
ΔｄS-M0.7ｔは、前記ズームレンズの望遠端、ｄ線における無限遠合焦時の最大像高の０．７倍の位置におけるｄ線でのサジタル像面とメリディオナル像面との差、
ΔｄAS0.7ｔは、前記ズームレンズの望遠端、ｄ線における無限遠合焦時の最大像高の０．７倍の位置におけるｄ線でのサジタル像面の近軸像面からの偏倚量、
である。
【請求項３】
前記第１レンズ群は、広角端での位置に対して望遠端において物体側に位置することを特徴とする請求項１又は２に記載の撮像装置。
【請求項４】
前記リアレンズ群グループは、
正屈折力の第３レンズ群を備え、
前記フォーカシングレンズ群は前記第３レンズ群よりも像側に配置され、
広角端での位置よりも望遠端にて前記第３レンズ群は物体側に位置し、且つ、前記第３レンズ群と前記フォーカシングレンズ群との距離は変化することを特徴とする請求項１から３の何れか一項に記載の撮像装置。
【請求項５】
前記リアレンズ群グループは、前記正屈折力の第３レンズ群、前記第３レンズ群よりも像側の正屈折力の第４レンズ群の２つのレンズ群からなり、
前記第４レンズ群が前記フォーカシングレンズ群であることを特徴とする請求項４に記載の撮像装置。
【請求項６】
前記第２レンズ群は複数の負レンズと少なくとも１つの正レンズを有し、
前記第３レンズ群は複数の正レンズと少なくとも１つの負レンズを有し、
前記第２レンズ群と前記第３レンズ群のそれぞれが少なくとも４つのレンズを含み、
前記第４レンズ群は１つのレンズからなることを特徴とする請求項５に記載の撮像装置。
【請求項７】
前記リアレンズ群グループが前記正屈折力の第３レンズ群、前記第３レンズ群よりも像側の負屈折力の第４レンズ群、前記第４レンズ群よりも像側の正屈折力の第５レンズ群からなり、
前記第４レンズ群が前記フォーカシングレンズ群であることを特徴とする請求項４に記載の撮像装置。
【請求項８】
前記第２レンズ群は複数の負レンズと少なくとも１つの正レンズを有し、
前記第３レンズ群は複数の正レンズと少なくとも１つの負レンズを有し、
前記第４レンズ群は１つのレンズからなることを特徴とする請求項７に記載の撮像装置。
【発明の詳細な説明】
【技術分野】
【０００１】
本発明は、ズームレンズ及びそれを備えた撮像装置に関するものである。
【背景技術】
【０００２】
従来より一眼レフカメラやコンパクトカメラ、ビデオカメラといった撮像装置では、ズームレンズと撮像素子を備え、画角の異なる画像を得るものが多く知られている。
最近では、ズームレンズの十分な変倍比の確保のほかに、室内などの明るさが少ない環境での撮影に対しても撮影画像のノイズ低減に有利なＦナンバーが小さい明るいズームレンズが求められている。
例えば、特許文献１には明るい高変倍比のズームレンズを用いた撮像装置が開示されている。
一方、特許文献２，３には軸上色収差や像面湾曲を電気的に補正する撮像装置が開示されている。
特許文献４には画像回復フィルターを用いて電気的に画像情報を補正する撮像装置が開示されている。
【先行技術文献】
【特許文献】
【０００３】
【特許文献１】特開２０１１−２８１４５号公報
【特許文献２】特開２０１０−１４１８１４号公報
【特許文献３】特開２００８−８５７７４号公報
【特許文献４】特開２００８−１７２３２１号公報
【発明の概要】
【発明が解決しようとする課題】
【０００４】
しかしながら、ズームレンズは望遠側ほどで軸上色収差が目立ちやすくなる。
特に、ズームレンズの望遠端で大口径を維持しようとすると、軸上色収差補正のためのレンズ材料選択が制限されることによるコスト高や、特許文献１のごとく最も物体側のレンズ群の構成レンズ枚数の増加による大型化につながる。
一方、特許文献２，３には、軸上色収差を電気的に補正する際の好ましいレンズ系の具体的な開示は見当たらない。
特許文献４には、レンズ系のデータが示されているが、変倍比の確保と望遠端での明るさの確保の両立が求められる。
【０００５】
本発明は、上記に鑑みてなされたものであって、本発明は、画像処理を併用することで大口径ながら画質も良好な画像が得られる撮像装置を提供することを目的とする。
もしくは、画像信号処理による画質向上を行いやすいズームレンズを提供することを目的とする。
【課題を解決するための手段】
【０００６】
上述した課題を解決し、目的を達成するために、本発明は、
ズームレンズと、ズームレンズの像側に配置され、ズームレンズによる像を電気信号に変換する撮像面をもつ撮像素子を有する撮像装置において、
ズームレンズは、
物体側から像側に順に、正の屈折力の第１レンズ群と、負の屈折力の第２レンズ群と、複数のレンズ群を持ち全体で正の屈折力を持つリアレンズ群グループからなり、
広角端から望遠端へのズーミングに際して各レンズ群の間隔が変化し、
第１レンズ群中のレンズの総数は３以下であり、
リアレンズ群グループ中の何れかのレンズ群がフォーカシングのために移動するフォーカシングレンズ群であり、
フォーカシングレンズ群は、フォーカシングレンズ群の位置を違えた少なくとも３つのフォーカシング状態にて連続撮影可能に光軸方向に移動し、
少なくとも３つのフォーカシング状態にて得られた複数の撮影画像情報から、それぞれ異なる色成分に対応する画像情報を取得して、軸上色収差が補正された完成画像情報を生成する画像情報補正回路を備え、
以下の条件式を満足することを特徴とする撮像装置を提供できる。
３．５＜ｆｔ（ｄ）／ｆｗ（ｄ）＜３５                        （１）
０．８＜ｆｔ（ｄ）／（ｆｗ（ｄ）・Fｔmin（ｄ）２）＜２．０  （２）
０．０５＜｜ΔＣ−ｇaxisｔ／ｆｔ（ｄ）｜×１０２＜３．０      （３）
０≦｜Δd saｔ／ΔＣ−ｇaxisｔ｜＜０．８                    （４Ａ）
０≦｜Δｇ saｔ／ΔＣ−ｇaxisｔ｜≦０．６２                 （４Ｂ’）
０≦｜ΔC saｔ／ΔＣ−ｇaxisｔ｜＜０．８                    （４Ｃ）
０．１＜｜Pimg／ΔＣ−ｇaxisｔ｜＜０．７５                    （５）
３≦｜Ntake｜≦１００                                      （６）
ただし、
ｆｔ（ｄ）は、ズームレンズの望遠端、ｄ線における無限遠合焦時のｄ線での焦点距離、
ｆｗ（ｄ）は、ズームレンズの広角端、ｄ線における無限遠合焦時のｄ線での焦点距離、
Fｔmin（ｄ）は、ズームレンズの望遠端、ｄ線における無限遠合焦時のｄ線での最小Ｆ値、
ΔＣ−ｇaxisｔは、ズームレンズの望遠端、ｄ線における無限遠合焦時のＣ線の焦点とｇ線の焦点との差、
Δd saｔは、ズームレンズの望遠端、ｄ線における無限遠合焦時、最小Ｆ値時のｄ線の軸上での球面収差の最大値と最小値の差、
Δg saｔは、ズームレンズの望遠端、ｄ線における無限遠合焦時、最小Ｆ値時のｇ線の軸上での球面収差の最大値と最小値の差、
ΔC saｔは、ズームレンズの望遠端、ｄ線における無限遠合焦時、最小Ｆ値時のＣ線の軸上での球面収差の最大値と最小値の差、
Pimgは、ズームレンズの望遠端、無限遠合焦時、最小Ｆ値時におけるフォーカシングレンズ群を駆動しての連続撮影される画像のうち完成画像情報に使用する画像を得る際の光軸方向の像面移動ピッチの平均値、
Ntakeは、連続撮影時の撮影回数、
である。
なお、無限遠の物体の場合、「焦点」が合焦位置となる。
【０００７】
正の屈折力のレンズ群が最も物体側に配置された上述のズームレンズの構成とすることで、負屈折力の第２レンズ群以降での増倍機能を確保しやすくなる。それにより、ズームレンズの変倍比の確保に有利となる。加えて、望遠端での入射瞳径を大きくしやすく、望遠端での明るさの確保に有利となる。
ここで、第１レンズ群中のレンズの総数を３以下とすることで、第１レンズ群の径方向、厚さ方向の小型化に有利となる。
また、フォーカシングはリアレンズ群グループ中のレンズ群で行うことが好ましい。
第１レンズ群でもフォーカシングは可能であるが、重量が大きくなりやすいので、連続撮影するための制御が難しくなる。
第２レンズ群でもフォーカシングは可能であるが、フォーカシング時の像のサイズの変化が大きくなりやすい。
画像信号補正回路は、フォーカシングレンズ群の位置が異なる少なくとも３つのフォーカシング状態にて得られた複数の撮影画像情報から、それぞれ異なる色成分に対応する画像情報を取得して、軸上色収差が補正された完成画像情報を生成する。
なお、あるフォーカシング状態にて撮影画像のエリアにより完成画像を生成するために使用する色情報が変わるようにしてもかまわない。完成画像情報の生成に使用しないエリアがあってもかまわない。連続撮影において完成画像情報の生成に使用しない撮影コマがあっても構わない。
【０００８】
条件式（１）は、ズームレンズの好ましい変倍比を特定するものである。
条件式（１）の下限値を下回らないようにして変倍比を確保することで、画角変化の自由度が確保され、種々の撮影シーンに対応できる。
条件式（１）の上限値を上回ると、ズームレンズの大型化や撮影時のカメラブレの影響が生じやすくなる。
【０００９】
条件式（２）は、好ましい変倍比と望遠端Fナンバーのバランスを特定したものである。
条件式（２）の下限値を下回らないように明るさを確保することで、撮影画像のノイズの低減に有利となる。また、被写界深度を小さくでき、印象的な画像撮影を行い易くなる。
条件式（２）の上限値を上回らないようにすることで、信号処理による収差補正が行い難いコマ収差や非点隔差の過大を抑えやすくなる。その作用により、ズームレンズの高コスト化（例えば、レンズ枚数の増大、硝材コストの上昇、製造精度の厳密化等）の低減に有利となる。
【００１０】
条件式（３）は、画像合成を前提としたときの好ましい軸上色収差量を特定するものである。
条件式（３）下限値を下回らないようにして軸上色収差量を許容することで大口径、高変倍比のズームレンズ設計が行い易くなる。
条件式（３）上限値を上回って軸上色収差量が過大になると、連続撮影時のフォーカシングレンズ群の移動量も大きくなりやすく、駆動制御が難しくなる。画像合成を行った場合でも軸上色収差の影響が無視できなくなってくる。
【００１１】
条件式（４Ａ）、（４Ｂ）、（４Ｃ）は、それぞれ、ｄ線、ｇ線、Ｃ線の好ましい球面収差量を特定するものである。
条件式（４Ａ）、（４Ｂ）、（４Ｃ）の下限値を下回ることはない。
条件式（４Ａ）、（４Ｂ）、（４Ｃ）の上限値を上回らないようにすることで、各色の球面収差の画像処理による補正（例えばウィナーフィルタによる画像回復処理）の省略もしくは簡略化が可能となり、画質向上のための計算量を少なくできる。
【００１２】
条件式（５）は、軸上色収差を考慮した連続撮影における好ましい像面移動ピッチを特定するものである。
条件式（５）の下限値を下回ると、軸上色収差補正のための撮影コマ数が増大しやすくなり、撮影画像情報を一時的又は永久に保存するメモリー容量が必要になり撮像装置のコストが大きくなる。
条件式（５）の上限値を上回ると、画像合成による軸上色収差補正効果が小さくなる。
【００１３】
条件式（６）は、連続撮影における好ましい撮影コマ数を特定するものである。
条件式（６）の下限値を下回ると画像合成による軸上色収差補正効果が小さくなる。
条件式（６）の上限値を上回ると撮影画像情報を一時的又は永久に保存するメモリー容量が必要になり撮像装置のコストが大きくなる。
上述の発明において、更には以下のように構成することがより好ましい。
【００１４】
また、本発明の好ましい態様によれば、以下の条件式を満足する。
０≦｜ΔｄS-M0.7ｔ／ΔＣ−ｇaxisｔ｜＜０．５          （７）
０．３＜｜ΔｄAS0.7ｔ／ΔＣ−ｇaxisｔ｜＜３        （８）
ただし、
ΔｄS-M0.7ｔは、ズームレンズの望遠端、ｄ線における無限遠合焦時の最大像高の０．７倍の位置におけるｄ線でのサジタル像面とメリディオナル像面との差、
ΔｄAS0.7ｔは、ズームレンズの望遠端、ｄ線における無限遠合焦時の最大像高の０．７倍の位置におけるｄ線でのサジタル像面の近軸像面からの偏倚量、
である。
【００１５】
条件式（７）は好ましい非点隔差を特定するものである。
条件式（７）の下限値を下回ることはない。
非点隔差は画像処理にて補正することが難しいため、上限値を上回らないように非点隔差を低減することが好ましい。
【００１６】
条件式（８）は、サジタル像面における好ましい像面湾曲を特定するものである。
画像合成上は像面湾曲が補正されているほうが後の画像処理の負担が軽減できる。しかしながら、球面収差と像面湾曲を共に良好に補正することは光学設計上難しい。
条件式（８）の下限値を下回らないように像面湾曲を許容することで画像合成処理も含めた全体最適化に有利となる。
条件式（８）の上限値を上回らないように像面湾曲の過大を抑えることで、連続撮影における撮影数を低減させやすくなる。
【００１７】
また、本発明の好ましい態様によれば、第１レンズ群は、広角端での位置に対して望遠端において物体側に位置することが望ましい。
【００１８】
これにより、広角端にて全長が小さくなり、また、広角端付近での第１レンズ群の有効径を小さくしやすくなり、小型化と画角の確保の両立に有利となる。
【００１９】
また、本発明の好ましい態様によれば、リアレンズ群グループは、
正屈折力の第３レンズ群を備え、
フォーカシングレンズ群は第３レンズ群よりも像側に配置され、
広角端での位置よりも望遠端にて第３レンズ群は物体側に位置し、且つ、第３レンズ群とフォーカシングレンズ群との距離は変化することが望ましい。
【００２０】
第３レンズ群を移動させることでズームレンズ全体の変倍比確保に有利となる。
フォーカシングレンズ群がズームレンズ中の像側よりに位置するように構成でき、フォーカシング時の倍率の変化を抑えやすくなる。
また、以下のように構成できる。
【００２１】
また、本発明の好ましい態様によれば、リアレンズ群グループは、正屈折力の第３レンズ群、第３レンズ群よりも像側の正屈折力の第４レンズ群の２つのレンズ群からなり、
第４レンズ群がフォーカシングレンズ群であることが望ましい。
【００２２】
これにより、レンズ群数を少なくでき、小型化に有利となる。
【００２３】
また、本発明の好ましい態様によれば、第２レンズ群は複数の負レンズと少なくとも１つの正レンズを有し、
第３レンズ群は複数の正レンズと少なくとも１つの負レンズを有し、
第２レンズ群と第３レンズ群のそれぞれが少なくとも４つのレンズを含み、
第４レンズ群は１つのレンズからなることが望ましい。
【００２４】
これにより、ズームレンズの明るさを確保しても画像処理で補正の難しい収差の低減に有利となる。
第４レンズ群を１つのレンズとすることでフォーカシングのためのレンズ群移動の負荷を軽減でき、フォーカシングや連射の高速化に有利となる。
また、以下のように構成できる。
【００２５】
また、本発明の好ましい態様によれば、リアレンズ群グループが正屈折力の第３レンズ群、第３レンズ群よりも像側の負屈折力の第４レンズ群、第４レンズ群よりも像側の正屈折力の第５レンズ群からなり、
第４レンズ群がフォーカシングレンズ群であることが望ましい。
【００２６】
これにより、第４レンズ群を負の屈折力にすることでそれよりも物体側の各々のレンズ群の径方向のサイズを小さくしやすくなる。
【００２７】
また、本発明の好ましい態様によれば、第２レンズ群は複数の負レンズと少なくとも１つの正レンズを有し、
第３レンズ群は複数の正レンズと少なくとも１つの負レンズを有し、
第４レンズ群は１つのレンズからなることが望ましい。
【００２８】
これにより、ズームレンズの明るさを確保しても画像処理で補正の難しい収差の低減に有利となる。
第４レンズ群を１つのレンズとすることでフォーカシングのためのレンズ群移動の負荷を軽減でき、フォーカシングや連射の高速化に有利となる。
また、画像処理による収差補正が可能である点を考慮すると、以下のズームレンズとすることが好ましい。
【００２９】
また、他の側面において本発明にしたがうズームレンズは参考例であって、物体側から像側に順に、正の屈折力の第１レンズ群と、負の屈折力の第２レンズ群と、複数のレンズ群を持ち全体で正の屈折力を持つリアレンズ群グループからなり、
広角端から望遠端へのズーミングに際して各レンズ群の間隔が変化し、
第１レンズ群中のレンズの総数は３以下であり、
リアレンズ群グループ中の何れかのレンズ群がフォーカシングのために移動するフォーカシングレンズ群であり、
以下の条件式を満足することを特徴とする。
３．５＜ｆｔ（ｄ）／ｆｗ（ｄ）＜３５                        （１）
０．８＜ｆｔ（ｄ）／（ｆｗ（ｄ）・Fｔmin（ｄ）２）＜２．０  （２）
ただし、
ｆｔ（ｄ）は、ズームレンズの望遠端、ｄ線における無限遠合焦時のｄ線での焦点距離、
ｆｗ（ｄ）は、ズームレンズの広角端、ｄ線における無限遠合焦時のｄ線での焦点距離、
Fｔmin（ｄ）は、ズームレンズの望遠端、ｄ線における無限遠合焦時のｄ線での最小Ｆ値、
である。
【００３０】
これらの作用効果は、撮像装置において上述したものと同じである。
【００３１】
また、本発明の好ましい態様によれば、以下の条件式を満足することが望ましい。
０．０５＜｜ΔＣ−ｇaxisｔ／ｆｔ（ｄ）｜×１０２＜３．０      （３）
０≦｜Δd saｔ／ΔＣ−ｇaxisｔ｜＜０．８                    （４Ａ）
０≦｜Δｇ saｔ／ΔＣ−ｇaxisｔ｜＜０．８                    （４Ｂ）
０≦｜ΔC saｔ／ΔＣ−ｇaxisｔ｜＜０．８                    （４Ｃ）
ただし、
ΔＣ−ｇaxisｔは、ズームレンズの望遠端、ｄ線における無限遠合焦時のＣ線の焦点とｇ線の焦点との差、
Δd saｔは、ズームレンズの望遠端、ｄ線における無限遠合焦時、最小Ｆ値時のｄ線の軸上での球面収差の最大値と最小値の差、
Δg saｔは、ズームレンズの望遠端、ｄ線における無限遠合焦時、最小Ｆ値時のg線の軸上での球面収差の最大値と最小値の差、
ΔC saｔは、ズームレンズの望遠端、ｄ線における無限遠合焦時、最小Ｆ値時のC線の軸上での球面収差の最大値と最小値の差、
である。
【００３２】
また、本発明の好ましい態様によれば、以下の条件式を満足することが望ましい。
０≦｜ΔｄS-M0.7ｔ／ΔＣ−ｇaxisｔ｜＜０．５          （７）
０．３＜｜ΔｄAS0.7ｔ／ΔＣ−ｇaxisｔ｜＜３        （８）
ただし、
ΔｄS-M0.7ｔは望遠端、ｄ線における無限遠合焦時の最大像高の０．７倍の位置におけるｄ線でのサジタル像面とメリディオナル像面との差、
ΔｄAS0.7ｔは望遠端、ｄ線における無限遠合焦時の最大像高の０．７倍の位置におけるｄ線でのサジタル像面の近軸像面からの偏倚量、
である。
【００３３】
また、本発明の好ましい態様によれば、第１レンズ群が広角端での位置に対して望遠端にて物体側に位置することが望ましい。
【００３４】
また、本発明の好ましい態様によれば、リアレンズ群グループは、
正屈折力の第３レンズ群を備え、
フォーカシングレンズ群は第３レンズ群よりも像側に配置され、
広角端での位置よりも望遠端にて第３レンズ群は像側に位置し、且つ、第３レンズ群とフォーカシングレンズ群との距離は変化することが望ましい。
【００３５】
また、本発明の好ましい態様によれば、リアレンズ群グループが正屈折力の第３レンズ群、第３レンズ群よりも像側の正屈折力の第４レンズ群の２つのレンズ群からなり、
第４レンズ群がフォーカシングレンズ群であることが望ましい。
【００３６】
また、本発明の好ましい態様によれば、第２レンズ群は複数の負レンズと少なくとも１つの正レンズを有し、
第３レンズ群は複数の正レンズと少なくとも１つの負レンズを有し、
第２レンズ群と第３レンズ群のそれぞれが少なくとも４つのレンズを含み、
第４レンズ群は１つのレンズからなることが望ましい。
【００３７】
また、本発明の好ましい態様によれば、リアレンズ群グループは、正屈折力の第３レンズ群、第３レンズ群よりも像側の負屈折力の第４レンズ群、第４レンズ群よりも像側の正屈折力の第５レンズ群からなり、
第４レンズ群がフォーカシングレンズ群であることが望ましい。
【００３８】
また、本発明の好ましい態様によれば、第２レンズ群は複数の負レンズと少なくとも１つの正レンズを有し、
第３レンズ群は複数の正レンズと少なくとも１つの負レンズを有し、
第４レンズ群は１つのレンズからなることが望ましい。
【００３９】
また、画像補正回路は、例えば、特開２００８−８５７７４号公報に開示された収差補正方法と同等の動作を行うのでよい。
像面湾曲が生じる場合は、複数コマの画像情報を用いて赤のモノトーン画像情報を生成し、赤のモノトーン画像情報に用いる複数コマの画像情報とは異なる組み合わせの複数コマの画像情報を用いて緑のモノトーン画像を生成し、さらに、赤および緑のモノトーン画像情報に用いる複数コマの画像情報とは異なる組み合わせの複数コマの画像情報を用いて青のモノトーン画像を生成するようにしてもよい。
複数コマからひとつのモノトーン画像情報を得る場合、画像の継ぎ目を補間する情報処理を行うことが好ましい。
【００４０】
更には、画像信号補正回路は、撮像素子から得られる画像情報を基に、赤、緑、青のモノトーン画像情報を生成し、それぞれのモノトーン画像情報を合成してカラー画像情報を生成する回路を含むことが好ましい。
【００４１】
更には、画像信号補正回路は、赤、緑、青のモノトーン画像情報における倍率の差や歪みを補正する回路を含むことが好ましい。そうすることで、ズームレンズにおける倍率の色収差や歪曲収差を許容でき、いっそうの低コスト化もしくは高画質化が行える。
【００４２】
また、赤、緑、青のモノトーン画像情報に対してそれぞれ画像回復処理を行い、それらの画像回復処理されたモノトーン画像情報からカラー画像情報を生成することが好ましい。
画像回復処理としては、例えば特許文献４にて紹介されているようなウィナーフィルタによる画像回復、一般的な逆フィルタ（インバースフィルタ）による画像回復、最大エントロピー法（Maximum entropy method）、Tikhonov-Miller 法、Richardson-Lucy 法、Van Cittert 法、Landweber 法等による画像回復処理を用いることが可能である。
【００４３】
上述の構成は任意に複数を同時に満足することがそれぞれの効果を高められより好ましい。
また、各条件式について、以下のようにすることで、効果をいっそう確実にでき好ましい。
【００４４】
条件式（１）について、
変倍比が大きいほど色補正による画質向上の効果が得られる。下限値は７．０、更には９．０、更には１５．０、更には１７．０とすることがより好ましい。
上限値を２５、更には２０とすることがより好ましい。
【００４５】
条件式（２）について、
下限値を０．８５とすることがより好ましい。
上限値を１．５、更には１．３とすることがより好ましい。
【００４６】
条件式（３）について、
下限値を０．０７、更には０．０８５とすることがより好ましい。
上限値を２．０、更には１．５とすることがより好ましい。
【００４７】
条件式（４Ａ）、（４Ｂ）、（４Ｃ）について、
下限値を０．０１として球面収差を許容することで他の収差補正に有利となり好ましい。
条件式（４Ａ）、（４C）について、
Ｃ線とｄ線は人間にとって認識しやすい波長であるので、上限値を０．４としてC線とｄ線の球面収差を補正することで完成画像の画質向上につながる。
更には上限値を、０．３、０．２、０．１とすることがより好ましい。
【００４８】
条件式（５）について、
下限値を０．２、更には０．３とすることがより好ましい。
上限値を０．７、更には０．６５とすることがより好ましい。
【００４９】
条件式（６）について、
下限値を４、更には５とすることで像面湾曲を許容しやすくなり好ましい。
上限値を２０、更は１０とすることがより好ましい。
【発明の効果】
【００５０】
本発明によれば、画像処理を併用することで大口径ながら最終的には良好な画質の記録画像を得られる撮像装置を提供することができる。
もしくは、画像処理により画質向上を行いやすいズームレンズを提供することができる。
【図面の簡単な説明】
【００５１】
【図１】本発明のズームレンズの実施例１の無限遠物点合焦時の広角端（ａ）、第２の中間状態（ｂ）、望遠端（ｃ）でのレンズ断面図である。
【図２】本発明のズームレンズの実施例２の図１と同様の図である。
【図３】実施例１の無限遠物点合焦時の収差図である。
【図４】実施例２の無限遠物点合焦時の収差図である。
【図５】本発明の一実施形態に係るデジタルスチルカメラ（収差補正撮像装置）の構成を示すブロック図である。
【図６】本発明の一実施形態に係るデジタルスチルカメラの動作を説明するフローチャートである。
【図７】本発明の一実施形態に係るデジタルスチルカメラにおいて撮像光学系の光軸上に設定される基準領域の具体例を示す図である。
【図８】本発明の一実施形態に係るデジタルスチルカメラの動作を概略的に示す図であって、中心部のみピントがあっている画像情報が撮影される状態を示す図である。
【図９】図８に示す状態で撮影される画像情報を示す図である。
【図１０】本発明の一実施形態に係るデジタルスチルカメラの動作を概略的に示す図であって、中心部のみピントがあっている画像情報が撮影される状態を示す図である。
【図１１】図１０に示す状態で撮影される画像情報を示す図である。
【図１２】図９に示す画像情報の部分画像情報と図１１に示す画像情報の部分画像情報とを合成して得られる完成画像情報を示す図である。
【図１３】本発明の一実施形態に係るデジタルスチルカメラの各基準領域における撮影動作を説明するフローチャートである。
【図１４】本発明の一実施形態に係るデジタルスチルカメラの動作を説明する図である。
【図１５】本発明の一実施形態に係るデジタルスチルカメラの各基準領域における撮影動作の具体例を示す図であって、赤色光の画像情報の取得時の様子を示す図である。
【図１６】本発明の一実施形態に係るデジタルスチルカメラの各基準領域における撮影動作の具体例を示す図であって、緑色光の画像情報の取得時の様子を示す図である。
【図１７】本発明の一実施形態に係るデジタルスチルカメラの各基準領域における撮影動作の具体例を示す図であって、青色光の画像情報の取得時の様子を示す図である。
【図１８】本発明の一実施形態に係るデジタルスチルカメラの撮影動作の具体例を示す図であって、（ａ）は光軸方向における基準領域の位置関係を示す図であり、（ｂ）は各基準領域にて得られる像のイメージセンサ上での位置を示す図である。
【図１９】歪曲収差の補正を説明する図である。
【発明を実施するための形態】
【００５２】
本実施形態のズームレンズ及びそれを備えた撮像装置の構成による作用効果を説明する。なお、この実施形態によって本発明は限定されるものではない。すなわち、実施形態の説明に当たって、例示のために特定の詳細な内容が多く含まれるが、これらの詳細な内容に色々なバリエーションや変更を加えても、本発明の範囲を超えない。従って、以下で説明する本発明の例示的な実施形態は、権利請求された発明に対して、一般性を失わせることなく、また、何ら限定をすることもなく、述べられたものである。
【００５３】
まず、はじめに本発明のズームレンズの実施例１、２について説明する。その後、これらのズームレンズを備えた撮像装置について説明する。
実施例１、２の無限遠物点合焦時の広角端（ａ）、第２の中間焦点距離状態（ｂ）、望遠端（ｃ）のレンズ断面図をそれぞれ図１〜図２に示す。図１〜図２中、第１レンズ群はＧ１、第２レンズ群はＧ２、明るさ（開口）絞りはＳ、第３レンズ群はＧ３、第４レンズ群はＧ４、赤外光を制限する波長域制限コートを施したローパスフィルタを構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルタ作用を持たせるようにしてもよい。平行平板Ｆは、ローバスフィルターの機能を持たないようにしてもよい。
【００５４】
また、各実施例において、明るさ絞りＳは第３レンズ群Ｇ３と一体で移動する。数値データはいずれも無限遠の被写体に合焦した状態でのデータである。各数値の長さの単位はｍｍ、角度の単位は°（度）である。フォーカシングはいずれの実施例も第４レンズ群Ｇ４（ウォブリングも行う）の移動により行う。
さらに、ズームデータは広角端（ＷＥ）、第１の中間焦点距離状態（ＳＴ１）、第２の中間焦点距離状態（ＳＴ２）、第３の中間焦点距離状態（ＳＴ３）、望遠端（ＴＥ）での値である。
【００５５】
実施例１のズームレンズは、図１に示すように、物体側から順に、正の屈折力の第１レンズ群Ｇ１と、負の屈折力の第２レンズ群Ｇ２と、明るさ絞りＳと、正の屈折力の第３レンズ群Ｇ３と、負の屈折力の第４レンズ群Ｇ４と、正の屈折力の第５レンズ群Ｇ５とを配置している。
【００５６】
広角端から望遠端にかけての変倍時、第１レンズ群Ｇ１は物体側へ移動し、第２レンズ群Ｇ２は像側に移動し、第３レンズ群Ｇ３は物体側へ移動し、第４レンズ群Ｇ４は物体側に移動し、第５レンズ群Ｇ５は像側に移動する。また、明るさ絞りＳは、開口サイズを変化させて光量を調整する。
【００５７】
物体側から順に、第１レンズ群Ｇ１は、物体側に凸面を向けた負メニスカスレンズと物体側に凸面を向けた正メニスカスレンズとの接合レンズと、物体側に凸面を向けた正メニスカスレンズとからなる。第２レンズ群Ｇ２は、両凹負レンズと、両凹負レンズと、両凸正レンズとからなる。第３レンズ群Ｇ３は、両凸正レンズと、物体側に凸面を向けた負メニスカスレンズと両凸正レンズとの接合レンズからなる。第４レンズ群Ｇ４は、両凹負レンズからなる。第５レンズ群Ｇ５は、両凸正レンズからなる。
【００５８】
非球面は、第３レンズ群Ｇ３の物体側の両凸正レンズの両面と、第５レンズ群Ｇ５の両凸正レンズの像側面との３面に用いている。
【００５９】
実施例２のズームレンズは、図２に示すように、物体側から順に、正の屈折力の第１レンズ群Ｇ１と、負の屈折力の第２レンズ群Ｇ２と、明るさ絞りＳを含む正の屈折力の第３レンズ群Ｇ３と、正の屈折力の第４レンズ群Ｇ４とを配置している。
【００６０】
広角端から望遠端にかけての変倍時、第１レンズ群Ｇ１は像側へ移動した後反転して物体側へ移動し、第２レンズ群Ｇ２は像側に移動し、第３レンズ群Ｇ３は物体側へ移動し、第４レンズ群Ｇ４は物体側に移動し、さらに物体側に凸の軌跡で移動する。また、明るさ絞りＳは、開口サイズを変化させて光量を調整する。
【００６１】
物体側から順に、第１レンズ群Ｇ１は、物体側に凸面を向けた負メニスカスレンズと物体側に凸面を向けた正メニスカスレンズとの接合レンズからなる。第２レンズ群Ｇ２は、両凹負レンズと、像側に凸面を向けた負メニスカスレンズと像側に凸面を向けた正メニスカスレンズとの接合レンズと、像側に凸面を向けた負メニスカスレンズとからなる。第３レンズ群Ｇ３は、物体側に凸面を向けた正メニスカスレンズと、開口絞りＳと、物体側に凸面を向けた正メニスカスレンズと、物体側に凸面を向けた負メニスカスレンズと物体側に凸面を向けた負メニスカスレンズと物体側に凸面を向けた正メニスカスレンズとの接合レンズとからなる。第４レンズ群Ｇ４は、物体側に凸面を向けた正メニスカスレンズからなる。
【００６２】
非球面は、第１レンズ群Ｇ１の正メニスカスレンズの像側面と、第２レンズ群Ｇ２の物体側から２番目の負メニスカスレンズの物体側面と、最も像面側の負メニスカスレンズの両面と、第３レンズ群Ｇ３の最も物体側の正メニスカスレンズの両面と、最も像面側の正メニスカスレンズの像側面と、第４レンズ群Ｇ４の正メニスカスレンズの物体面との８面に用いている。
なお、実施例２のｒ１３の面は、フルアパーチャ時に光量が飽和しないようにＮＤフィルタを挿脱する場合に、適正な位置である。
【００６３】
以下に、上記各実施例の数値データを示す。記号は上記の外、ｆは全系焦点距離、ｆｂはバックフォーカス、ｆ１、ｆ２…は各レンズ群の焦点距離、ＩＨは像高、ＦNOはＦナンバー、ωは半画角、ＷＥは広角端、ＳＴは中間焦点距離状態、ＴＥは望遠端、ｒは各レンズ面の曲率半径、ｄは各レンズ面間の間隔、ｎｄは各レンズのｄ線の屈折率、νｄは各レンズのアッベ数である。後述するレンズ全長は、レンズ最前面からレンズ最終面までの距離にバックフォーカスを加えたものである。ｆｂ（バックフォーカス）は、レンズ最終面から近軸像面までの距離を空気換算して表したものである。
【００６４】
なお、非球面形状は、ｘを光の進行方向を正とした光軸とし、ｙを光軸と直交する方向にとると、下記の式にて表される。
【００６５】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10＋Ａ12ｙ12
ただし、ｒは近軸曲率半径、Ｋは円錐係数、Ａ4 、Ａ6 、Ａ8 、Ａ10、Ａ12はそれぞれ４次、６次、８次、１０次、１２次の非球面係数である。また、非球面係数において、「Ｅ−ｎ」（ｎは整数）は、「１０−ｎ」を示している。
【００６６】
実施例１
単位      ｍｍ
面データ
面番号      r          d         nd        νd 
物面       ∞         ∞
1        ∞        1.35
2      29.689      0.83     1.80100    34.97
3      17.924      0.01     1.56384    60.67
4      17.924      3.00     1.49700    81.54
5     235.371      0.15
6      19.084      2.23     1.49700    81.54
7     135.690      0.60
8        ∞        可変
9    -248.257      0.40     1.88300    40.76
10       6.347      2.48
11     -11.865      0.40     1.72916    54.68
12      24.830      0.50
13        ∞       -0.30
14      15.534      1.13     1.94595    17.98
15    -241.099      可変
16(絞り)  ∞        0.66
17*      6.390      1.98     1.58313    59.38
18*    -17.590      1.10
19      24.987      0.40     1.90366    31.31
20       5.010      2.46     1.51633    64.14
21      -8.754      可変
22     -24.613      0.40     1.51633    64.14
23       5.957      可変
24      23.136      2.03     1.53071    55.60
25*    -11.859      可変
26        ∞        0.30     1.51633    64.14
27        ∞        0.40
28        ∞        0.50     1.51633    64.14
29        ∞        0.53
像面(撮像面) ∞        
非球面データ
第１７面
k=0.000
A4=-4.06725e-04,A6=9.30636e-07,A8=-5.54087e-08  
第１８面
k=0.000
A4=6.84350e-04,A6=-1.58461e-06,A8=4.14283e-08  
第２５面
k=0.000
A4=1.13168e-04,A6=5.08826e-06,A8=-2.60893e-07  
ズームデータ
ＷＥ   ＳＴ２      ＴＥ    ＳＴ１     ＳＴ３
焦点距離          4.40     13.66     67.53      7.41     28.78
ＦＮＯ．          2.35      3.50      4.18      2.87      4.71
画角２ω         72.25     28.08      5.21     46.74     12.26
fb(in air)        6.09      4.02      2.88      4.97      1.91
全長(in air)     46.57     50.32     57.92     46.35     53.71
d8               -0.14      8.05     19.89      2.66     12.48  
d15              16.57      7.34      0.54     10.97      3.73  
d21               1.68      3.73      3.53      2.78      5.16  
d23               1.90      6.73     10.63      4.52      9.98  
d25               4.59      2.90      1.30      3.93      1.38  
像高  3.83
群焦点距離
f1=33.35    f2=-5.80    f3=7.95    f4=-9.25    f5=15.08   
【００６７】
数値実施例２
単位  ｍｍ
面データ
面番号      r          d         nd        νd 
物面       ∞         ∞
1      34.841      1.00     1.94595    17.98
2      26.844      0.01     1.56384    60.67
3      26.844      3.90     1.77250    49.60
4*   2462.339      可変  
5      51.853      0.90     1.88300    40.76
6       7.998      4.46
7*    -18.408      1.94     1.86400    40.58
8     -25.340      0.01     1.56384    60.67
9     -25.340      2.24     1.92286    18.90
10     -14.042      0.72
11*    -10.644      1.64     1.74320    49.34
12*    -16.970      可変
13        ∞        0.00
14*     11.287      2.27     1.58313    59.38
15*     30.495      1.40
16(絞り)  ∞        0.91
17      18.327      1.47     1.77019    46.94
18      32.800      0.10
19       9.006      1.76     1.43875    94.93
20       8.969      0.01     1.56384    60.67
21       8.969      0.94     1.92286    18.90
22       5.940      0.01     1.56384    60.67
23       5.940      2.13     1.59201    67.02
24*      8.993      可変
25*     12.164      1.97     1.59201    67.02
26     101.810      可変
27        ∞        0.50     1.54771    62.84
28        ∞        0.50
29        ∞        0.50     1.51633    64.14
30        ∞        0.50
像面(撮像面) ∞        
非球面データ
第４面
k=0.000
A4=3.87653e-07  
第７面
k=0.000
A4=7.98273e-05,A6=-3.30264e-07,A8=1.44643e-08,A10=-1.38365e-10  
第１１面
k=0.000
A4=-4.61272e-05  
第１２面
k=1.809
A4=-1.73152e-05  
第１４面
k=-1.002
A4=-5.22258e-05,A6=-1.85991e-07  
第１５面
k=0.000
A4=-1.51340e-04,A6=2.93047e-07  
第２４面
k=0.000
A4=4.38041e-04,A6=2.88402e-06,A8=4.78058e-08  
第２５面
k=0.000
A4=-1.30283e-04,A6=5.99394e-08,A8=-2.57719e-08  
ズームデータ
ＷＥ   ＳＴ２      ＴＥ    ＳＴ１     ＳＴ３
焦点距離          6.12     12.76     23.75      8.10     20.28
ＦＮＯ．          1.42      1.66      1.84      1.51      1.82
画角２ω         73.96     38.16     20.82     58.43     24.52
fb (in air)       7.30     10.24     11.52      8.56     11.76
全長 (in air)    64.16     60.51     66.25     59.90     63.74
d4                0.30      8.38     17.26      2.42     14.38  
d12              22.17      6.84      0.30     14.43      1.20  
d24               4.60      5.27      7.38      4.69      6.61  
d26               5.58      8.65     10.13      6.88     10.40  
像高  4.60
群焦点距離
f1=48.82    f2=-11.62    f3=16.88    f5=23.15   
【００６８】
以上の実施例１、２の無限遠物点合焦時の収差図をそれぞれ図３、図４に示す。これらの収差図において、（ａ）は広角端、（ｂ）は第２の中間焦点距離状態、（ｃ）は望遠端における球面収差（ＳＡ）、非点収差（ＡＳ）、歪曲収差（ＤＴ）、倍率色収差（ＣＣ）を示す。各図中、“ω”は半画角を示す。
【００６９】
次に、各実施例における条件式（１）〜（３）、（４Ａ）〜（４Ｃ）、（５）〜（８）の値を掲げる。
実施例1      実施例2
条件式(1)             15.34         3.88
条件式(2)              0.88         1.15
条件式(3)              0.09         1.32
条件式(4A)             0.02         0.03
条件式(4B)             0.62         0.02
条件式(4C)             0.02         0.08
条件式(5)              0.33 0.64
条件式(6)              5.85         8.5
条件式(7)              0.392       -0.0025
条件式(8)             -1.015       -0.4145
実施例1      実施例2
(1)ｆｗ（ｄ）          4.40         6.12
(2)ｆｔ（ｄ）         67.53        23.75
(3)Fｔmin（ｄ）        4.18         1.84
(4)ΔＣ−ｇaxisｔ      0.0610       0.3140
(5)ΔC saｔ            0.0015       0.0259
(6)Δd saｔ           -0.0010       0.0099
(7)Δｇ saｔ           0.0376       0.0068
(8)Pimg                0.0200       0.2000
(9)ΔｄS-M0.7ｔ        0.0239      -0.0008
(10)ΔｄAS0.7ｔ       -0.0619      -0.0253
【００７０】
次に、上述のズームレンズを備える撮像装置の実施形態について説明する。
以下、本発明の実施形態について、図面を用いて説明する。
ここでは、本発明を、デジタルスチルカメラに適用した例について説明する。
図５のブロック図に示すように、本実施形態に係るデジタルスチルカメラ１（収差補正撮像装置）は、図示せぬ筐体内に、撮像光学系２と、撮像光学系２が結んだ像を画像情報として取得する撮像機能部３と、撮像機能部３が取得した画像情報等の各種画像情報を表示する画像情報表示パネルとを設けた構成とされている。
【００７１】
ここで、撮像光学系２は、上述した実施例１または２に係るズームレンズを用いる。
また、画像情報表示パネルとしては、例えばＬＣＤ（Liquid Crystal Display）パネルや、有機または無機ＥＬ（electroluminescence）ディスプレイパネル等、任意の構成のものを用いることができる。本実施形態では、画像情報表示パネルとして、ＬＣＤパネル４が用いられている。
【００７２】
また、撮像機能部３には、撮像光学系２の光軸Ｏ方向における後述するイメージセンサ２１（撮像素子）と像面との相対位置を変化させるためのフォーカシング駆動装置５Ｂが設けられている。フォーカシング駆動装置５Ｂは、ズームレンズ中のフォーカシングレンズ群の駆動を行う。また、ズーミング駆動装置５Ａは、変倍時に各レンズ群を駆動する。
フォーカシング駆動装置５Ｂは、フォーカシングレンズ群を駆動させることにより、光軸Ｏ方向における像面とイメージセンサ２１との相対距離(相対的位置関係）を変化させるものである。駆動装置５は、例えばねじ送り機構やシリンダ機構の他、ピエゾ素子またはＭＥＭＳ（Micro Electro Mechanical Systems）を用いたアクチュエータ等、任意の機構によって構成することができる。
【００７３】
以下、撮像機能部３の詳細な構成について説明する。
撮像機能部３は、デジタルスチルカメラ１を構成する各装置に電力を供給する電源部ＰＷと、ＣＰＵ（Central Processing Unit）等から構成されてデジタルスチルカメラ１の各部の制御を行うシステムコントローラ２０（制御装置）と、システムコントローラ２０の動作を制御する制御用シーケンスのプログラムや制御用の各種パラメータ等が予め格納されたＲＯＭ２０ａと、システムコントローラ２０による各種シーケンスの遂行に必要なデータを一時的に格納するワークエリアとして用いられるＲＡＭ２０ｂとを有している。
【００７４】
システムコントローラ２０は、電源部ＰＷの動作を制御して、撮像装置本体２を構成する各装置への電力の供給を制御するものである。
システムコントローラ２０は、撮像装置本体２の電源状態がＯＮとなると、ＲＯＭ２０ａからプログラム，パラメータ等を読み出して所定の処理を行う。これにより、デジタルスチルカメラ１のシステムが起動し、電気的に撮影可能な状態となる。
【００７５】
撮像光学系３の背後には、平板状のイメージセンサ２１（撮像素子）が配置されている。これにより、イメージセンサ２１の平板状の受光エリアには、撮像光学系３によって被写体画像が結像されるようになっている。
イメージセンサ２１としては、ＣＣＤ（Charge Coupled Devices）を用いたものや、ＣＭＯＳ（Complementary Metal Oxide Semiconductor）を用いたものなど、任意のものを用いることができる。また、グローバルシャッタ方式の高速ＣＭＯＳセンサや、シングルスロープ型Ａ／Ｄ変換器を各画素列ごとに集積して高速化した高速ＣＭＯＳセンサ等を用いることができる。本実施形態では、イメージセンサ２１として、ＣＣＤを用いたイメージセンサを用いている。
【００７６】
撮像装置本体２には、イメージセンサ２１を駆動するＣＣＤドライバ２２が設けられている。これにより、イメージセンサ２１は、撮像光学系３を介して得られた光学的な被写体画像を電気的な撮像信号に変換して出力する。
撮像装置本体２には、イメージセンサ２１が出力する撮像信号を増幅するアンプ２３と、アンプ２３の出力をデジタル変換するＡ／Ｄ変換器２４が設けられている。
【００７７】
イメージセンサ２１の受光面には微小な受光素子がマトリクス状に配列されている。また、各受光素子には、赤（Ｒ、Ｃ線），緑（Ｇ、ｄ線），青（Ｂ、ｇ線）のいずれかの色に対応する微小なマイクロカラーフィルタが設けられている。イメージセンサ２１の各受光素子から各マイクロカラーフィルタに対応する色ごとにシリアルに出力される撮影信号は、アンプ２３で適切なレベルに増幅された後、Ａ／Ｄ変換器２４によってデジタル変換されて、赤色，緑色、青色の各画像データとされる。
【００７８】
撮像装置本体２には、イメージセンサ２１によって得られた画像データに対してホワイトバランス調節、ガンマ補正などの各種データ処理を行うデータ処理回路２５（画像処理装置）と、データ処理回路２５によって処理された画像データを画像情報としてＬＣＤパネル４に表示するＬＣＤドライバ２６とが設けられている。撮像装置本体２が撮影モードとなっている場合には、データ処理回路２５にはＡ／Ｄ変換器２４からの画像データが入力され、このデータ処理回路２５で必要な処理が行われた１画像分の画像データが次々にＬＣＤドライバ２６に送られる。これにより、ＬＣＤパネル４には撮影中の被写体画像が動画として表示されるようになる。なお、システムコントローラ２０は、撮影モード時では、ＬＣＤパネル４にイメージセンサ２１で撮影中の画像を表示する表示モードと、ＬＣＤパネル４に撮影中の画像を表示しない非表示モードとに切り換えることができるようになっている。
【００７９】
また、撮像装置本体２には、撮像時の自動露出制御（ＡＥ制御）を行うＡＥ処理回路２７が設けられている。データ処理回路２５からの画像データは、ＡＥ処理回路２７にも送られる。このＡＥ処理回路２７は、入力される各画像データと、その時点でＣＣＤドライバ２２にセットされているイメージセンサ２１の電荷蓄積時間、すなわち電子シャッタのシャッタ秒時とに基づいてイメージセンサ２１の被写体輝度の測光値を算出する。そして、システムコントローラ２０は、この測光値に基づいて新たな電子シャッタのシャッタ秒時を決定し、このシャッタ秒時をＣＣＤドライバ２２にフィードバックする、これにより、イメージセンサ２１の駆動が調節され、ＡＥ制御が行われる。
【００８０】
撮像装置本体２には、データ処理回路２５から出力された画像データを記録する外部記憶装置が設けられている。本実施形態では、外部記憶装置として、フラッシュメモリ２８が用いられている。このフラッシュメモリ２８は、撮像装置本体２に対して着脱を可能にして設けられている。
撮像装置本体２には、システムコントローラ２０と他の機器との間でのデータのやり取りを行うためのＩ／Ｏポート３１が設けられている。Ｉ／Ｏポート３１には、使用者の入力を受け付ける入力部３２と、外部の機器が接続される外部接続端子群３３が接続されている。
【００８１】
入力部３２は、例えば、レリーズスイッチ，ズームレバー，キー操作部等からなり、これらの操作に応じた信号は、Ｉ／Ｏポート３１を介してシステムコントローラ２０に入力される。システムコントローラ２０は、この入力信号に応じて、各種の処理、制御を行う。外部接続端子群３３は、外部記憶装置であるメモリカードを装着するメモリスロットや外部のコンピュータと接続するためのコネクタ等からなるものである。この外部接続端子群３３に外部記憶装置やコンピュータを接続することで、Ｉ／Ｏポート３１を介してデータの入出力を行うことができる。
【００８２】
ここで、再生モード時には、システムコントローラ２０は、入力部３２に入力された使用者の指示に基づいて、フラッシュメモリ２８または外部接続端子群３３に接続された外部記憶装置から表示対象となる画像データを読み出して、データ処理回路２５に送出する。これにより、表示対象の画像データがＬＣＤドライバ２６に送られて、ＬＣＤパネル４に画像が表示される。
【００８３】
以下、このデジタルスチルカメラ１の撮影動作の詳細について、図６のフローチャートを用いて説明する。
［第一基準領域への移動動作］
システムコントローラ２０は、入力部３２を介して使用者から撮影指令が入力されると、任意のズームポジションにある撮像光学系２に対して、不図示のレンズ駆動装置を操作して、像面とイメージセンサ２１との相対距離を調整する（ステップＳＡ１）。具体的には、フォーカシングレンズ群を駆動させて、相対的にイメージセンサ２１の受光面を、撮像光学系２の光軸Ｏ方向に沿って順次設定された複数の基準領域Ａ１，Ａ２，…、ＡＮのうちのいずれかの領域内に位置させる。
ここで、厳密に言うと、フォーカシングレンズ群の移動により、倍率が変化する。実際は、一定収差域内の微小変化となるので、この倍率変化は無視することができる。または、倍率変化を考慮した信号変換や補間による変換を行うこともできる。
本実施形態では、システムコントローラ２０は、相対的にイメージセンサ２１の受光面を第一基準領域Ａ１内に位置させる。
【００８４】
ここで、各基準領域は、撮像光学系２の光軸Ｏ方向において、イメージセンサ２１の受光エリア上の、少なくとも被写体Ｐ（図９参照）が含まれる領域の一部でピントが合う範囲内に設定される。
図７に簡略化して示すように、鏡筒１００内の撮像光学系２の結像面Ｆは、像面湾曲収差の影響により、曲面となっている（具体的には各収差図を参照）。本実施形態では、撮像光学系２の光軸Ｏ方向におけるイメージセンサ２１の相対的な移動範囲のうち、イメージセンサ２１が取得する画像情報のうち受光面の中心部に対応する領域でピントが合う範囲を第一基準領域Ａ１とし、イメージセンサ２１が取得する画像情報のうちの受光面の周縁部に対応する領域でピントが合う範囲を第二基準領域Ａ２としている。
次に、撮像光学系２のズームポジションの検出が行われる（ステップＳＡ２）。そして検出されたズームポジション及び撮像光学系２のレンズ構成から、予め算出される像面の湾曲状態に合わせて最適な被写体像が得られる各色に対する撮影回数（２回からｎ回）が決定されるとともに、フォーカシングレンズ群の移動方向及び作動量が決定される（ステップＳＡ３）。
【００８５】
［第一回画像情報取得動作］
実際の第一画像情報取得動作では、後述するように、複数の単色の画像情報に基づいて、第一基準領域Ａ１に対応する多色の画像情報ＧＣ１を得る。
このようにイメージセンサ２１の受光面を第一基準領域Ａ１内に位置させた状態で、システムコントローラ２０は、ＣＣＤドライバ２２に動作指令を出して、後述する所定の撮影動作を行わせて、第一回目の画像情報を取得する（ステップＳＡ４）。
この状態では、受光エリア上の被写体Ｐの少なくとも一部でピントが合った画像情報が得られる。
【００８６】
［第二基準領域への移動動作］
システムコントローラ２０は、第一回の画像情報の取得が終了すると、駆動装置５を操作して、イメージセンサ２１の受光エリア上の被写体Ｐが含まれる領域のうち、以前の画像情報取得時に得た画像情報とは異なる領域でピントが合うように、撮像光学系２とイメージセンサ２１との相対距離を変更する（ステップＳＡ５）。具体的には、フォーカシングレンズ群の位置を調整して、イメージセンサ２１の受光面を、第二基準領域Ａ２内に位置させる。
【００８７】
［第二回画像情報取得動作］
この状態で、システムコントローラ２０は、ＣＣＤドライバ２２に動作指令を出して、所定の撮影動作を行わせて、第二回目の画像情報を取得する（ステップＳＡ６）。
この状態では、受光エリア上の被写体Ｐのうち、第一回画像情報取得時に得た画像情報とは異なる領域でピントが合った色の画像情報が得られる。
【００８８】
以降は、イメージセンサ２１の受光エリア上の被写体Ｐが含まれる領域全てについてそれぞれピントが合った状態の画像が撮影されるまで、システムコントローラ２０がフォーカシングレンズ群の位置調整動作と撮影動作とを繰り返す（ステップＳＡｎ，ＳＡｎ＋１）。
【００８９】
本実施形態では、基準領域として、第一基準領域Ａ１と第二基準領域Ａ２との二つの領域を設定している。
この場合には、第一画像情報取得動作において、図８に示すように、例えば像面とイメージセンサ２１との相対距離を変更することで、図９に示すように、受光エリア上の被写体Ｐが含まれる領域の中心部Ｐ１のみピントがあっている画像情報ＧＣ１が得られる。
また、第二画像情報取得動作において、図１０に示すように、例えば像面とイメージセンサ２１との位置関係を調整することで、図１１に示すように、受光エリア上の被写体Ｐが含まれる領域の周縁部Ｐ２のみピントがあっている第二の画像情報Ｇ２が得られる。なお、実際の第二画像情報取得動作では、後述するように、複数の単色の画像情報に基づいて、第二基準領域Ａ２に対応する多色の画像情報ＧＣ２を得る。
【００９０】
次に、システムコントローラ２０は、データ処理回路２５の動作を制御して、各画像情報取得工程で得た画像情報から、撮像光学系２とイメージセンサ２１との光軸Ｏ方向の相対距離に応じた領域（ピントの合っている領域）のみを切り出して部分画像情報を得る（ステップＳＡｎ＋２）。具体的には、データ処理回路２５は、第一の画像情報ＧＣ１からは中心部Ｐ１のみを切り出し、第二の画像情報ＧＣ２からは周縁部Ｐ２のみを切り出して、それぞれ部分画像情報とする。
【００９１】
ここで、像面とイメージセンサ２１との光軸Ｏ方向の相対位置関係と、得られる画像情報においてピントの合っている領域との関係は、撮像光学系２の光学特性（撮像光学系２のレンズデータ等から算出される像面湾曲特性）、ズーム光学系における撮影時のズームポジションにおける光学特性、被写体の画角等に応じて、予め求めることができる。
また、一度の画像情報取得動作で得られる画像情報のうち、ピントの合っている領域は、撮像光学系２の像面歪曲の状況により、画面中心から画面周縁部にかけて同心状に区画される領域のうちの一つである場合もあるが、画面中心から画面周縁部にかけて同心状に区画される領域のうちの複数領域でピントが合う場合もある。このように複数領域でピントが合う場合には、ピントの合っている領域のそれぞれについて画像情報中から切り出して、それぞれを部分画像情報とすることができる。
システムコントローラ２０は、この情報に基づいて、各回の画像情報取得工程で得た画像情報のうち、ピントの合っている領域を特定して、データ処理回路２５に部分画像情報を生成させる。
【００９２】
その後、システムコントローラ２０は、データ処理回路２５の動作を制御して、得られた部分画像情報を合成して、被写体の中心から周縁部まで全体にわたってピントが合っている、鮮明な画像情報（完成画像情報）を生成する。具体的には、データ処理回路２５は、図１１に示すように、第一の画像情報ＧＣ１の中心部Ｐ１と、第二の画像情報ＧＣ２の周縁部Ｐ２とを合成して、中心部が第一の画像情報ＧＣ１の領域Ｐ１、周縁部が第二の画像情報ＧＣ２の領域Ｐ２によって構成される画像情報ＧＣ３を生成する。
なお、各部分画像情報は、合成処理の都合上、隣接する領域の部分画像情報と、領域の境界部分の情報が一部重複させられる。そして、各部分画像情報を合成するにあたっては、隣接する領域の部分画像情報において、重複する部分同士が混合される。具体的には、各部分画像情報において、隣接する領域との境界近傍では、隣接する領域に近い部分ほど当該部分画像情報の使用比率が低くなり、境界上では各部分画像の使用比率は半々となるように設定される。これにより、隣接する領域の境界部分における画像情報の継ぎ目が目立たなくなる。
【００９３】
すなわち、このデジタルスチルカメラ１では、撮像光学系２が像面歪曲収差を有していても、被写体の中心から周縁部まで全体にわたってピントが合っている、鮮明な画像情報を得ることができる。言い換えれば、このデジタルスチルカメラ１は、撮像光学系２を複雑な構成とすることなしに、像面歪曲収差を補正して、被写体の中心から周縁部まで全体にわたってピントが合っている、鮮明な画像情報を得ることができる。
これにより、このデジタルスチルカメラ１によれば、撮像光学系２の構成を簡略化して製造コストを抑えながら、撮像光学系２の像面歪曲収差を良好に補正して、被写体の中心から周縁部まで、全体にわたって鮮明な画像情報を取得することができる。
【００９４】
以下、本実施形態に係るデジタルスチルカメラ１の、各基準領域での撮影動作（各多色画像情報取得工程での多色の画像情報を取得する際の動作）について説明する。
［第一回フォーカシングレンズ群位置調整］
システムコントローラ２０は、各基準領域における画像情報の取得にあたって、駆動装置５を操作して、像面とイメージセンサ２１との相対距離を変化させるようにフォーカシングレンズ群の位置を微調整する（ステップＳＢ１）。具体的には、デジタルスチルカメラ１によって取得する画像情報に含めたい光の波長域のうちの一部の波長域に対する撮像光学系２の合焦位置をイメージセンサ２１に一致させる。
【００９５】
［第一回撮影］
この状態で、システムコントローラ２０は、ＣＣＤドライバ２２に動作指令を出して、第一回目の撮影を行う（ステップＳＢ２）。
本実施形態では、イメージセンサ２１の各受光素子から各マイクロフィルタに対応する色ごとにシリアルに出力される撮影信号に基づいて例えば赤色、緑色、青色のうちの一色について画像データが取得される。
この状態では、デジタルスチルカメラ１によって取得する画像情報に含めたい光の波長域のうちの一部の波長域に対応する単色の画像情報が得られる。
【００９６】
［第二回フォーカシングレンズ群位置調整］
システムコントローラ２０は、第一回撮影が終了すると、駆動装置５を操作して、像面とイメージセンサ２１との相対距離を変化させるようにフォーカシングレンズ群の位置を変更する（ステップＳＢ３）。具体的には、撮像光学系２の光軸Ｏ方向での撮像光学系２とイメージセンサ２１との相対距離を、デジタルスチルカメラ１によって取得する画像情報に含めたい光の波長域のうち、第一回フォーカシングレンズ群位置調整時とは異なる別のＲＧＢの中の一色に対応する波長域の光に対する撮像光学系２の合焦位置をイメージセンサ２１に一致させる。
【００９７】
［第二回撮影］
この状態で、システムコントローラ２０は、ＣＣＤドライバ２２に動作指令を出して、第二回目の撮影を行う（ステップＳＢ４）。
この状態では、デジタルスチルカメラ１によって取得する画像情報に含めたい光の波長域のうち、第一回撮影時に得た画像情報とは異なる一部の波長域に対応する単色の画像情報が得られる。
【００９８】
以降は、デジタルスチルカメラ１によって取得する画像情報に含めたい光の波長域全体について対応する画像情報が取得されるまで、システムコントローラ２０が相対位置調整動作と撮影動作とを繰り返す（ステップＳＢｎ，ＳＢｎ＋１）。
このように単色の光について個別に画像情報の取得を行うことで、軸上色収差による影響を最小とした、鮮明な単色の画像情報が得られる。
【００９９】
ＲＧＢの中の別の色（イメージセンサ２１の検出可能な色調がＲＧＢ以上の色調に分解されている場合には、分解された残りの色）に対応してデータの取得を繰り返す。
ここで、撮像光学系２による各波長の光の結像位置は、撮像光学系２のレンズ構成や、ズームポジションによって変わる。これら各波長の光の結像位置は、撮像光学系２のレンズ構成等の特性データから予め算出することができる。
撮影動作に要する時間を最小限にするために、撮影に当たっては、撮影時におけるイメージセンサ２１の移動量が最小となるように、各波長の光の画像取得順序を決定することが好ましい。
図１４に、画像取得順序の一例を示す。ここで、図１４に示す例では、撮像光学系２の光軸Ｏ上に、物体側からＢ，Ｇ，Ｒの順に各色ごとの像が結像している（具体的には収差図を参照）。図１４において、Ｂの像が結像される位置からＧの像が結像される位置までの距離をＤ１、Ｇの像が結像される位置からＲの像が結像される位置までの距離をＤ２とし、イメージセンサ２１の受光面からＧの像が結像される位置までの距離をαとする。
また、Ｄ２＞Ｄ１であり、α＜Ｄ２であり、Ｄ２−Ｄ１＞２αである。
この条件下では、相対的にイメージセンサ２１の受光面を、第一回目の撮像の際にはＧの像が結像される位置に移動させ、第二回目の撮像の際にはＢの像が結像される位置に移動させ、第三回目の撮像の際にはＲの像が結像される位置に移動させることで、撮影時におけるイメージセンサ２１の移動量が最小となる。
【０１００】
本実施形態では、デジタルスチルカメラ１は、可視光域の光全体について画像情報を取得する構成とされている。
具体的には、第一回フォーカシングレンズ群位置調整では、図１５に示すように、赤色光に対する撮像光学系２の合焦位置をイメージセンサ２１に一致させる。この状態では、イメージセンサ２１の受光面と撮像光学系２による赤色光の結像面が一致するので、受光面には、赤色光のみによる像が鮮明に結像される。
第一回撮影では、システムコントローラ２０は、データ処理回路２５の動作を制御して、Ａ／Ｄ変換器２４からデータ処理回路２５に出力される画像データのうち、赤色の画像データのみ抽出させる。これにより、赤色光に対応する単色の画像情報が得られる。
【０１０１】
第二回フォーカシングレンズ群位置調整では、図１６に示すように、緑色光に対する撮像光学系２の合焦位置をイメージセンサ２１に一致させる。この状態では、イメージセンサ２１の受光面と撮像光学系２による緑色光の結像面が一致するので、受光面には、緑色光のみによる像が鮮明に結像される。
第二回撮影では、システムコントローラ２０は、データ処理回路２５の動作を制御して、Ａ／Ｄ変換器２４からデータ処理回路２５に出力される画像データのうち、緑色の画像データのみ抽出させる。これにより、緑色光に対応する単色の画像情報が得られる。
【０１０２】
第三回フォーカシングレンズ群位置調整では、図１７に示すように、青色光に対する撮像光学系２の合焦位置をイメージセンサ２１に一致させる。この状態では、イメージセンサ２１の受光面と撮像光学系２による青色光の結像面が一致するので、受光面には、青色光のみによる像が鮮明に結像される。
第三回撮影では、システムコントローラ２０は、データ処理回路２５の動作を制御して、Ａ／Ｄ変換器２４からデータ処理回路２５に出力される画像データのうち、青色の画像データのみ抽出させる。これにより、青色光に対応する単色の画像情報が得られる。
【０１０３】
ここで、フォーカシングレンズ群の位置と、得られる画像情報においてピントの合っている領域との関係は、撮像光学系２の光学特性に基づいて予め求めることができる。システムコントローラ２０は、この情報に基づいて、各回のフォーカシングレンズ群位置調整において、フォーカシングレンズ群の位置を決定する。
【０１０４】
次に、システムコントローラ２０は、データ処理回路２５の動作を制御して、得られた単色の画像情報を合成して、多色の画像情報（完成画像情報）を生成する（ステップＳＢｎ＋２）。
上記のように、各回の撮影では、軸上色収差による影響を最小とした、鮮明な画像情報が得られる。このような鮮明な単色の画像情報を合成することで、軸上色収差による影響を最小とした、鮮明な多色の画像情報が得られる。
【０１０５】
すなわち、このデジタルスチルカメラ１では、撮像光学系２が軸上色収差を有していても、この軸上色収差を良好に補正して、各基準領域に対応する鮮明な多色の画像情報を得ることができる。言い換えれば、このデジタルスチルカメラ１は、撮像光学系２を複雑な構成とすることなしに、軸上色収差を補正して、各基準領域に対応する鮮明な多色の画像情報を得ることができる。
【０１０６】
このデジタルスチルカメラ１では、上記のように、軸上色収差が良好に補正された、各基準領域に対応する鮮明な多色の画像情報に基づいて、完成画像情報を生成する。
これにより、このデジタルスチルカメラ１によれば、撮像光学系２の構成を簡略化して製造コストを抑えながら、撮像光学系２の像面歪曲収差及び軸上色収差を良好に補正して、鮮明な完成画像情報（多色の画像情報）を取得することができる。
【０１０７】
また、このデジタルスチルカメラ１では、システムコントローラ２０によって、撮像光学系２とイメージセンサ２１との相対距離の調整作業と、イメージセンサ２１による撮影とが自動的に行われるので、使用者は、複雑な操作を行うことなく、容易に完成画像情報を得ることができる。
【０１０８】
以下、これまでに説明した像面歪曲収差の補正と、軸上色収差の補正とを合わせて補正する動作について、図１８を用いて説明する。ここで、図１８（ａ）は、撮像光学系２の光軸Ｏ方向における基準領域の位置関係を示す図であり、図１８（ｂ）は各基準領域にて得られる像のイメージセンサ上での位置を示す図である。
【０１０９】
図１８（ａ）に示すように、撮像光学系２の結像面Ｆは、像面歪曲収差の影響により、物体側（図１８（ａ）では紙面左側）に凹となる曲面をなしている。本実施形態では、撮像光学系２の光軸Ｏ方向において、イメージセンサ２１の受光面のうち被写体が含まれる領域の中心部Ｐ１’でピントが合う範囲を第一基準領域Ａ１’とし、受光面のうち被写体が含まれる領域の中間部Ｐ２’でピントが合う範囲を第二基準領域Ａ２’とし、受光面のうち被写体が含まれる領域の周縁部Ｐ３’でピントが合う範囲を第三基準領域Ａ３’としている。
【０１１０】
また、本実施形態に示す撮像光学系２では、図１８（ａ）に示すように、軸上色収差の影響により、撮像光学系２の光軸Ｏ上に、物体側からＢ，Ｇ，Ｒの順に各色ごとの像が結像される。すなわち、本実施形態に示す撮像光学系２では、光軸Ｏ方向に沿って、物体側から順に、Ｂに対応する結像面ＦＢ、Ｇに対応する結像面ＦＧ、Ｒに対応する結像面ＦＲが位置している。
【０１１１】
この条件下では、合焦位置を、第一基準領域Ａ１’内のＢの像が結像される位置Ｂ１に調整させることにより、Ｂの波長について、被写体が含まれる領域の中心部Ｐ１’にピントが合った画像情報が得られる。
次に、合焦位置を、第一基準領域Ａ１’内のＧの像が結像される位置Ｇ１に移動させることにより、Ｇの波長について、被写体が含まれる領域の中心部Ｐ１’にピントが合った画像情報が得られる。
次に、合焦位置を、第一基準領域Ａ１’内のＲの像が結像される位置Ｒ１に移動させることにより、Ｒの波長について、被写体が含まれる領域の中心部Ｐ１’にピントが合った画像情報が得られる。
【０１１２】
次いで、合焦位置を、光軸Ｏ上の第二基準領域Ａ２’内のＢの像が結像される位置Ｂ２に移動させることにより、Ｂの波長について、被写体が含まれる領域の中間部Ｐ２’にピントが合った画像情報が得られる。
次に、合焦位置を、光軸Ｏ上の第二基準領域Ａ２’内のＧの像が結像される位置Ｇ２に移動させることにより、Ｇの波長について、被写体が含まれる領域の中間部Ｐ２’にピントが合った画像情報が得られる。
次に、合焦位置を、光軸Ｏ上の第二基準領域Ａ２’内のＲの像が結像される位置Ｒ２に移動させることにより、Ｒの波長について、被写体が含まれる領域の中間部Ｐ２’にピントが合った画像情報が得られる。
【０１１３】
さらに、上述の手順と同様にして、合焦位置を、光軸Ｏ上の第三基準領域Ａ３’内のＢの像が結像される位置Ｂ３、Ｇの像が結像される位置Ｇ３、Ｒの像が結像される位置Ｒ３に移動させることにより、第三基準領域Ａ３’における、Ｒ，Ｇ，Ｂの各波長について、それぞれ被写体が含まれる領域の周縁部Ｐ３’にピントが合った画像情報が得られる。
【０１１４】
次いで、このように合焦位置とイメージセンサ２１との相対的位置関係を合計９箇所に調整させて得られた、中心部Ｐ１’、中間部Ｐ２’、周縁部Ｐ３’の各領域に分割された、それぞれのＢ，Ｇ，Ｒの各波長に関する結像画像の画像データを適宜合成することにより、像面歪曲収差及び軸上色収差が良好に補正された良好な多色の全体画像を得ることが可能となる。
【０１１５】
なお、上述の説明では、中心部Ｐ１’、中間部Ｐ２’、及び周辺部Ｐ３’の各領域について画像情報を取得するために、合焦位置とイメージセンサ２１との相対的位置関係をを合計９箇所に調整させて画像データの取得を行う例を示した。
本発明は、これに限られることなく、合焦位置とイメージセンサ２１との位置関係を変えてイメージセンサ２１によって取得された複数の画像情報から、それぞれの相対的位置関係に応じて設定される領域を切り出した部分画像情報を複数得るとともに、少なくとも一の部分画像情報を取得する相対的位置関係に合焦位置とイメージセンサ２１とを位置させた状態で、複数の波長の画像情報を得て、これら部分画像情報を組み合わせて多色の完成画像情報を生成することができる。
具体的には、図１８において、合焦位置を光軸Ｏ上のＢ１点に位置させることにより、中心部Ｐ１’のＢ波長の画像と、中間部Ｐ２’のＲ波長の画像データとを一括して取得することが可能である。
このように構成することにより、合焦位置の移動量を最小限として、高速で多色の完成画像を得ることが可能となる。
【０１１６】
ここで、上記実施形態では、各基準領域についてそれぞれ複数の単色の画像情報を取得し、データ処理回路２５が、これら単色の画像情報に基づいて、各基準領域に対応する多色の画像情報を生成する構成とされた例について説明した。
本発明は、これに限られることなく、隣接する基準領域のうちの一方の基準領域については一部の単色の画像情報の取得を行わず、データ処理回路２５が、この一方の基準領域に対応する多色の画像情報の生成にあたって、取得されていない色の画像情報の代わりに、隣接する基準領域で取得された単色の画像情報のうち、一方の基準領域で取得されていない色に対応する単色の画像情報を用いる構成とされていてもよい。
このように、基準領域に対応する多色の画像情報を生成する際に、隣接する基準領域に対応する１つ以上の単色の画像情報を流用することで、各基準領域についてそれぞれ単色の画像情報の生成及び多色の画像情報の生成を行う場合に比べて、取得する画像情報の数を低減することができる。このため、撮像を開始してから完成画像情報を生成するまでに要する時間を短縮することができる。
【０１１７】
上記実施形態では、合焦位置とイメージセンサ２１との相対的位置関係を調整させる駆動装置として、筐体に対して合焦位置を変化させるフォーカシング駆動装置５Ｂを用いた例を示した。
また、上記実施形態では、本発明を、デジタルスチルカメラに適用した例について説明した。しかし、これに限られることなく、本発明は、ビデオカメラ等、画像データを電子的に扱う各種のカメラに適用してもよい。
また、本発明による軸上色収差の補正処理は、Ｒ、Ｇ，Ｂの三色に限られるものではなく、二色以上（例えば四色や六色）について補正処理が行われてもよい。また、撮像光学系２の倍率色収差を、倍率色収差補正用のレンズによって補正した上で、本発明による軸上色収差の補正処理を行ってもよい。
また、合焦位置とイメージセンサとの相対的位置関係を調整するときに、ｄ線の近軸像面を基準としてその前後に像面移動ピッチは等間隔にしている。
【０１１８】
（歪曲収差の補正）
ところで、本発明のズームレンズを用いたときに、像の歪曲は電気的にデジタル補正する。そのため、広角端付近での像高ＩＨを小さくし、広角端付近での有効撮像領域をたる型にしている。
以下に、像の歪曲をデジタル補正するための基本的概念について説明する。
【０１１９】
例えば、図１９に示すように、光軸と撮像面との交点を中心として有効撮像面の長辺に内接する半径Ｒの円周上（像高）での倍率を固定し、この円周を補正の基準とする。そして、それ以外の任意の半径ｒ（ω）の円周上（像高）の各点を略放射方向に移動させて、半径ｒ'（ω）となるように同心円状に移動させることで補正する。
【０１２０】
例えば、図１９において、半径Ｒの円の内側に位置する任意の半径ｒ1（ω）の円周上の点Ｐ1は、円の中心に向けて補正すべき半径ｒ1'（ω）円周上の点Ｐ2に移動させる。また、半径Ｒの円の外側に位置する任意の半径ｒ2（ω）の円周上の点Ｑ1は、円の中心から離れる方向に向けて補正すべき半径ｒ2'（ω）円周上の点Ｑ2に移動させる。
【０１２１】
ここで、ｒ'（ω）は次のように表すことができる。
ｒ'（ω）＝α・ｆ・ｔａｎω    （０≦α≦１）
ただし、
ωは被写体半画角、ｆは結像光学系（本発明では、ズームレンズ）の焦点距離、
αは０以上１以下である。
【０１２２】
ここで、半径Ｒの円上（像高）に対応する理想像高をＹとすると、
α＝Ｒ／Ｙ＝Ｒ／（ｆ・ｔａｎω）
となる。
【０１２３】
光学系は、理想的には、光軸に対して回転対称であり、すなわち歪曲収差も光軸に対して回転対称に発生する。したがって、上述のように、光学的に発生した歪曲収差を電気的に補正する場合には、再現画像上で光軸と撮像面との交点を中心とした有効撮像面の長辺に内接する半径Ｒの円の円周上（像高）の倍率を固定して、それ以外の半径ｒ（ω）の円周上（像高）の各点を略放射方向に移動させて、半径ｒ'（ω）となるように同心円状に移動させることで補正することができれば、データ量や演算量の点で有利と考えられる。
【０１２４】
ところが、光学像は、電子撮像素子で撮像された時点で（サンプリングのため）連続量ではなくなる。したがって、厳密には光学像上に描かれる上記半径Ｒの円も、電子撮像素子上の画素が放射状に配列されていない限り正確な円ではなくなる。
【０１２５】
つまり、離散的座標点毎に表される画像データの形状補正においては、上記倍率を固定できる円は存在しない。そこで、各画素（Ｘi，Ｙj）毎に、移動先の座標（Ｘi'，Ｙj' ）を決める方法を用いるのがよい。なお、座標（Ｘi'，Ｙj'）に（Ｘi，Ｙj）の２点以上が移動してきた場合には、各画素が有する値の平均値をとる。また、移動してくる点がない場合には、周囲のいくつかの画素の座標（Ｘi'，Ｙj'）の値を用いて補間すればよい。
【０１２６】
このような方法は、特にズームレンズを有する電子撮像装置において光学系や電子撮像素子の製造誤差等のために光軸に対して歪みが著しく、光学像上に描かれる上記半径Ｒの円が非対称になった場合の補正に有効である。また、撮像素子あるいは各種出力装置において信号を画像に再現する際に幾何学的歪み等が発生する場合等の補正に有効である。
【０１２７】
本発明の電子撮像装置では、補正量ｒ’（ω）−ｒ（ω）を計算するために、ｒ（ω）すなわち半画角と像高との関係、あるいは、実像高ｒと理想像高ｒ’／αとの関係が、電子撮像装置に内蔵された記録媒体に記録されている構成としてもよい。
【０１２８】
なお、歪曲補正後の画像が短辺方向の両端において光量が極端に不足することのないようにするには、半径Ｒが、次の条件式を満足するのがよい。
【０１２９】
０≦Ｒ≦０．６Ｌs 
ただし、Ｌsは有効撮像面の短辺の長さである。
【０１３０】
好ましくは、半径Ｒは、次の条件式を満足するのがよい。
０．３Ｌs≦Ｒ≦０．６Ｌs
さらには、半径Ｒは、略有効撮像面の短辺方向の内接円の半径に一致させるのが最も有利である。なお、半径Ｒ＝０の近傍、すなわち、軸上近傍において倍率を固定した補正の場合は、画質の面で若干の不利があるが、広画角化しても小型化にするための効果は確保できる。
【０１３１】
なお、補正が必要な焦点距離区間については、いくつかの焦点ゾーンに分割する。そして、該分割された焦点ゾーン内の望遠端近傍で略、
ｒ’（ω）＝α・ｆ・ｔａｎω
を満足する補正結果が得られる場合と同じ補正量で補正してもよい。
【０１３２】
ただし、その場合、分割された焦点ゾーン内の広角端において樽型歪曲量がある程度残存してしまう。また、分割ゾーン数を増加させてしまうと、補正のために必要な固有データを記録媒体に余計に保有する必要が生じあまり好ましくない。そこで、分割された焦点ゾーン内の各焦点距離に関連した１つ又は数個の係数を予め算出しておく。この係数は、シミュレーションや実機による測定に基づいて決定しておけばよい。
【０１３３】
そして、分割されたゾーン内の望遠端近傍で略、
ｒ’（ω）＝α・ｆ・ｔａｎω
を満足する補正結果が得られる場合の補正量を算出し、この補正量に対して焦点距離毎に係数を一律に掛けて最終的な補正量にしてもよい。
【０１３４】
ところで、無限遠物体を結像させて得られた像に歪曲がない場合は、
ｆ＝ｙ／ｔａｎω
が成立する。
ただし、ｙは像点の光軸からの高さ（像高）、ｆは結像系（本発明ではズームレンズ）の焦点距離、ωは撮像面上の中心からｙの位置に結ぶ像点に対応する物点方向の光軸に対する角度（被写体半画角）である。
【０１３５】
結像系に樽型の歪曲収差がある場合は、
ｆ＞ｙ／ｔａｎω
となる。つまり、結像系の焦点距離ｆと、像高ｙとを一定とすると、ωの値は大きくなる。
【産業上の利用可能性】
【０１３６】
以上のように、本発明にかかる撮像装置は、画像処理を併用することで大口径ながら最終的には良好な画質の記録画像を得られる場合に適している。
【符号の説明】
【０１３７】
Ｇ１…第１レンズ群
Ｇ２…第２レンズ群
Ｇ３…第３レンズ群
Ｇ４…第４レンズ群
Ｓ…明るさ絞り
Ｆ…ローパスフィルタ
Ｃ…カバーガラス
Ｉ…像面
１ デジタルスチルカメラ（収差補正撮像装置）
３ 撮像光学系
５Ａ ズーミング駆動装置
５Ｂ フォーカシング駆動装置
２０ システムコントローラ（制御装置）
２１ イメージセンサ（撮像素子）
２５ データ処理回路（画像処理装置）
【図１】
0005806518.tif 000002
【図２】
0005806518.tif 000003
【図３】
0005806518.tif 000004
【図４】
0005806518.tif 000005
【図５】
0005806518.tif 000006
【図６】
0005806518.tif 000007
【図７】
0005806518.tif 000008
【図８】
0005806518.tif 000009
【図９】
0005806518.tif 000010
【図１０】
0005806518.tif 000011
【図１１】
0005806518.tif 000012
【図１２】
0005806518.tif 000013
【図１３】
0005806518.tif 000014
【図１４】
0005806518.tif 000015
【図１５】
0005806518.tif 000016
【図１６】
0005806518.tif 000017
【図１７】
0005806518.tif 000018
【図１８】
0005806518.tif 000019
【図１９】
0005806518.tif 000020